【事件の表示】
　特許第２５４７３１０号「ドライシェービング装置」の請求項１ないし３８に係る特許に対する特許異議の申立てについて、次のとおり決定する。
【結論】
　訂正を認める。
　特許第２５４７３１０号の請求項１ないし３０に係る特許を維持する。
【理由】
第１　手続の経緯
　本件特許第２５４７３１０号の請求項１乃至請求項３８に係る発明については、平成４年１２月１８日に特許出願され、同８年８月８日に設定登録がされ、その後、同９年４月９日に三洋電機株式会社より請求項１乃至請求項５，請求項７，請求項８，請求項１０乃至請求項１３，請求項１６乃至請求項１９，請求項２５，請求項２６及び請求項３８について、また、同９年４月２３日に松下電工株式会社より全請求項について特許異議の申立てがされ、同９年９月１０日付けで第１回目の取消しの理由の通知がされ、その指定期間内である同９年１２月２４日に第１回目の明細書の訂正の請求がされ、同１０年３月１７日付けで訂正拒絶の理由の通知がされ、その指定期間内である同１０年８月３１日、同１０年９月１４日及び同１０年９月３０日に手続補正がされ、さらに、同１０年１０月１３日付けで第２回目の取消しの理由の通知がされ、その指定期間内である同１１年１月２５日に第２回目の明細書の訂正の請求がされ、同１１年３月４日付けで訂正拒絶の理由の通知がされ、その指定期間内である同１１年６月１６日に手続補正がされた。
第２　訂正の適否についての判断
　１　補正の内容及びその適否
　特許権者は、手続補正書において、第２回目の訂正請求書中の訂正事項に関して以下のように補正している。
（１）訂正請求書中の（３）訂正事項（ａ）を以下のように補正する。
　（ａ）訂正前の特許明細書の請求項７乃至請求項９、請求項１２、請求項１６、請求項２０乃至請求項２７及び請求項３８を削除する。
（２）訂正請求書中の（３）訂正事項（ｂ）を以下のように補正する。
　（ｂ）訂正後の請求項１（＝特許時の請求項１＋４＋１２＋支持部材）
　特許請求の範囲の減縮を目的として、請求項１を以下のように訂正する。
　【請求項１】　ハウジング（１）内に配置されるドライブと少なくとも２つの平行シェービングユニット（１３，１４，１５）とを備え、各シェービングユニットは、それぞれ外部カッタ（１６，１７，２０）、内部カッタ（２１，２２，３４）および少なくとも１つの付勢エレメント（３１，３２，３３，４５）を有し、
　前記シェービングユニット（１３，１４，１５）の１つは、浮動的動作が可能なロングヘアカッタとして構成され、
　全ての外部カッタ（１６，１７，２０）は、シェービングヘッドフレーム（１８）に結合され得る取り外し可能なフレーム（１９）に設けられ、
　前記シェービングユニット（１３，１４，１５）の付勢エレメントは異なる特性を有し、ロングヘアカッタとして構成されたシェービングユニット（１５）の付勢エレメント（４５）は、内部カッタ（３４）の往復運動方向におけるフレーム（１９）の両端部に取り付けられたガイド部材により、支持されており、
　前記ロングヘアカッタとして構成されたシェービングユニット（１５）の力−変位特性が他のシェービングュニット（１３，１４）と異なり、この特性は、シェービング中、シェービングユニット（１３，１４，１５）に外力が作用しているとき前記他のシェービングユニット（１３，１４）に対し前記ロングヘアカッタとして構成されたシェービングユニット（１５）が移動可能であることを特徴とするドライシェービング装置。
（３）訂正請求書中の（３）訂正事項（ｆ）乃至訂正事項（ｎ）について
　訂正事項（ｆ）、（ｇ）、（ｈ）、（ｉ）、（ｌ）、（ｍ）は、請求項の削除に伴い、関連する訂正後の請求項を繰り上げる。同様に、訂正事項（ｉ）、（ｍ）、（ｎ）は、訂正事項（ｌ）及び（ｋ）の削除に伴い、その対応するアルファベット表記を繰り上げる。
（４）訂正請求書中の（３）訂正事項の最後に以下の内容を追加する。
　（ｍ）訂正後の請求項２７
　　（＝特許時の請求項１＋４＋２９）
　特許請求の範囲の減縮を目的として、以下のように訂正する。
　【請求項２７】　ハウジング（ｌ）内に配置されるドライブと少なくとも２つの平行シェービングユニット（１３，１４，１５）とを備え、各シェービングユニットは、それぞれ外部カッタ（１６，１７，２０）、内部カッタ（２１，２２，３４）および少なくとも１つの付勢エレメント（３１，３２，３３，４５）を有し、
　前記シェービングユニット（１３，１４，１５）の１つは、浮動的動作が可能なロングヘアカッタとして構成され、
　前記シェービングユニット（１３，１４，１５）の付勢エレメントは異なる特性を有し、
　前記ロングヘアカッタとして構成されたシェービングユニット（１５）のカ−変位特性が他のシェービングユニット（１３，１４）と異なり、この特性は、シェービング中、シェービングユニット（１３，１４，１５）に外力が作用しているとき前記他のシェービングユニット（１３，１４）に対し前記ロングヘアカッタとして構成されたシェービングユニット（１５）が移動可能であり、
　各内部カッタおよび付随する各付勢エレメントは、当該シェービングユニットの一部として取り外し自在に、関連するシェービングユニット内に取り付けられており、
　前記シェービングユニットは、シェーバハウジングに枢動可能に取り付けられたシェーバヘッドを形成するよう互いに対して固定されており、
　前記シェーバーヘッドは、平行リンク機構の２つの対向リムに取り付けられている、ドライシェービング装置。
　（ｎ）訂正後の請求項２８
　　（＝特許時の請求項１＋４＋３０）
　特許請求の範囲の減縮を目的として、以下のように訂正する。
　【請求項２８】　前記リンク機構は、シェーバハウジングに枢動可能に取り付けられた２つの横方向のリンクメンバ（ｔｒａｎｓｖｅｒｓｅ　ｌｉｎｋ　ｍｅｍｂｅｒ）を備えている、請求項２７記載の装置。
　（ｏ）訂正後の請求項２９
　　（＝特許時の請求項１＋４＋３１）
　特許請求の範囲の減縮を目的として、以下のように訂正する。
　【請求項２９】　前記横向きのリンクメンバはベルクランクレバーを形成する、請求項２８記載の装置。
　（ｐ）訂正後の請求項３０
　　（＝特許時の請求項１＋４＋１５）
　特許請求の範囲の減縮を目的として、以下のように訂正する。
　【請求項３０】　ハウジング（１）内に配置されるドライブと少なくとも２つの平行シェービングユニット（１３，１４，１５）とを備え、各シェービングユニットは、それぞれ外部カッタ（１６，１７，２０）、内部カッタ（２１，２２，３４）および少なくとも１つの付勢エレメント（３１，３２，３３，４５）を有し、
　前記シェービングユニット（１３，１４，１５）の１つは、浮動的動作が可能なロングヘアカッタとして構成され、
　前記シェービングユニット（１３，１４，１５）の付勢エレメントは異なる特性を有し、
　前記ロングヘアカッタとして構成されたシェービングユニット（１５）の力−変位特性が他のシェービングユニット（１３，１４）と異なり、この特性は、シェービング中、シェービングユニット（１３，１４，１５）に外力が作用しているとき前記他のシェービングユニット（１３，１４）に対し前記ロングヘアカッタとして構成されたシェービングユニット（１５）が移動可能であり、
　前記ロングヘアカッタとして構成されたシェービングユニット（１５）は、ピンとスロットアレンジメント（１２０）を用いて伸直浮動運動を可能にしていることを特徴とする、ドライシェービング装置。
　また、特許権者は、上記訂正事項の補正に伴って、上記訂正請求書中の（４）訂正の原因及び訂正明細書を補正している。
　上記訂正事項に関する補正は、請求項の削除乃至特許請求の範囲の減縮を目的とするものであり、また、訂正の原因及び訂正明細書の補正は、訂正事項に関する補正に伴うものであって、いずれも訂正請求書の要旨を変更するものでなく、特許法第１２０条の４第３項において準用する同法第１３１条第２項の規定に適合する。
　２　訂正の内容
　特許権者は、補正された第２回目の訂正請求書において、本件特許明細書を以下のように訂正している。
（１）訂正事項ａ　上記１（１）参照
（２）訂正事項ｂ　上記１（２）参照
（３）訂正事項ｃ
　特許時の請求項２→訂正後の請求項２
　特許請求の範囲の減縮を目的として、以下のように訂正する。
　【請求項２】　各シェービングユニット（１３，１４，１５）は、外部カッタ（１６，７，２０）に内部カッタ（２１，２２，３４）を押圧するための少なくとも１つの付勢エレメント（３１，３２，４５）を有しており、他の付勢エレメント（３３）が、相対運動を許容し得るように前記ロングヘアカッタとして構成されたシェービングユニットに設けられている、請求項１記載の装置。
（４）訂正事項ｄ
　特許時の請求項３→訂正後の請求項３
　特許請求の範囲の減縮を目的として、以下のように訂正する。
　【請求項３】　前記ロングヘアカッタとして構成されたシェービングユニット（１５）は、ショートヘアカッタとして構成された他の二つのシェービングユット（１３，１４）の間に配置されている請求項１又は２記載の装置。
（５）訂正事項ｅ
　特許時の請求項４→訂正後の請求項４
　特許請求の範囲の減縮を目的として、以下のように訂正する。
　【請求項４】　前記ロングヘアカッタとして構成されたシェービングュニット（１５）の外部カッタ（２０）は、内部カッタ（３４）が振動する長手方向に対し横向きにスロットが形成されていることを特徴とする請求項１乃至３のいずれか１頃に記載の装置。
（６）訂正事項ｆ
　特許時の請求項１３（＝訂正後の請求項９）
　誤記の訂正を目的として、特許時の請求項１３（訂正後の請求項９）の「ショートヘアカッティング装置（１６，１７）の外部カッタと、」を「ショートヘアカッティング装置の外部カッタ（１６，１７）と、」、特許明細書第１０欄第９，１０行の「取外し可能なフレーム２９」を「取外し可能なフレーム１９」と訂正する。
（７）訂正事項ｇ
　特許時の請求項１５（＝訂正後の請求項１１）
　明りようでない記載の釈明を目的として、特許時の請求項１５（訂正後の請求項１１）において、第２行の「２つの端部」を「両端部」、第４行の「案内」を「装置」と訂正し、特許請求の範囲の減縮を目的として、択一的記載（シェービングヘッドフレーム（６０）又は取外し可能なフレーム（１９）」）を「フレーム（１９）」に改める。
（８）訂正事項ｈ
　特許時の請求項１７（＝訂正後の請求項１２）
　特許請求の範囲の減縮を目的として、特許時の請求項１７（訂正後の請求項１２）において、特許請求の範囲の記載と発明の詳細な説明の記載との整合を図るため、第２行および第３行の「シェービングヘッドフレーム（１８）又は取外し可能なフレーム（１９）」を「シェービングヘッドフレーム（１８）」、第４，　５行の［シェービングユニット（１５）の外部カッタ（２０）又は内部カッタ（３４）」を「シェービングユニット（１５）」と訂正する。
（９）訂正事項ｉ
　特許時の請求項１９（＝訂正後の請求項１４）
　明りようでない記載の釈明を目的として、特許時の請求項１９（訂正後の請求項１４）において、第３行の「関連するシェービング内」を「関連するシェービングユニット内」と訂正する。
（１０）訂正事項ｊ
　訂正後の請求項２５　（＝訂正後の請求項１＋ピンとスロットアレンジメント）
　特許請求の範囲の減縮を目的として、以下のように訂正する。
　【請求項２５】　前記ロングヘアカッタとして構成されたシェービングユニット（１５）は、ピンとスロットアレンジメント（１２０）を用いて垂直浮動運動を可能にしていることを特徴とする、請求項１に記載の装置。
（１１）訂正事項ｋ
　訂正後の請求項２６（＝訂正後の請求項１＋フラットスプリング）
　特許請求の範囲の減縮を目的として、以下のように訂正する。
　【請求項２６】前記ロングヘアカッタとして構成されたシェービングユニット（１５）はフラットスプリング（３４１）を用いて、シェービング間の浮動動作を許容するように調整されることを特徴とする、請求項１に記載の装置。
（１２）訂正事項ｌ
　発明の詳細な説明
　誤記の訂正を目的として、特許明細書の第１０欄第９行及び第１０行の「フレーム２９」を「フレーム１９」に訂正する。
（１３）訂正事項ｍ　上記１（４）（ｍ）参照
（１４）訂正事項ｎ　上記１（４）（ｎ）参照
（１５）訂正事項ｏ　上記１（４）（ｏ）参照
（１６）訂正事項ｐ　上記１（４）（ｐ）参照
　３　訂正の目的の適否、新規事項の追加の有無及び拡張・変更の存否
（１）　訂正事項ａは、請求項を削除するものであり特許請求の範囲の減縮に相当する。
（２）　訂正事項ｂ乃至訂正事項ｅ、訂正事項ｇ、訂正事項ｈ、訂正事項ｊ、訂正事項ｋ及び訂正事項ｍ乃至訂正事項ｏは、特許請求の範囲の減縮に相当し、且つ、願書に添付した明細書又は図面に記載した事項の範囲内の訂正であって、実質的に特許請求の範囲を拡張又は変更するものではない。
（３）　訂正事項ｆ及び訂正事項１は誤記の訂正に相当し、且つ、願書に添付した明細書又は図面に記載した事項の範囲内の訂正であって、実質的に特許請求の範囲を拡張又は変更するものではない。
（４）訂正事項ｇ及び訂正事項ｉは、明りょうでない記載の釈明に相当し、且つ、願書に添付した明細書又は図面に記載した事項の範囲内の訂正であって、実質的に特許請求の範囲を拡張又は変更するものではない。
　４　独立特許要件の判断
（１）訂正明細書の請求項に係る発明
　訂正明細書の請求項１乃至請求項３０に係る発明は、その特許請求の範囲の請求項１乃至請求項３０に記載されたとおりのものと認められるところ、その請求項１、請求項２７及び請求項３０に係る発明は、それぞれ上記１（２）、１（４）（ｍ）及び１（４）（ｐ）に示されるとおりの「ドライシェービング装置」である。
　なお、本件特許に係る出願については、１９９１年１２月２０日に英国において出願した２つの特許出願に基づいてパリ条第４条の規定による優先権の主張をしているが、上記２つの特許出願の明細書及び図面のいずれにも訂正明細書の各請求項に係る発明について開示されていないので上記優先権の主張を認めることはできない。
（２）　引用刊行物
　これに対して、上記第２回目の取消しの理由で引用した本件特許の出願前に頒布された刊行物１乃至刊行物９にはそれぞれ以下の発明乃至技術的事項が記載されている。
刊行物１：特開平４−２３１９９１号公報
　全ての外部カッタは、シェービングヘッドフレームに結合され得る取り外し可能なフレームに設けられている点及びロングヘアカッタとして構成されたシェービングユニットの付勢エレメントは、内部カッタの往復運動方向におけるフレームの両端部に取り付けられたガイド部材により、支持されている点を除く訂正明細書の請求項１に係る発明の全構成。
刊行物２：特開昭５５−８６４９０号公報
　シェービングユニットの１つは、浮動的動作が可能なロングヘアカッタとして構成されている点、全ての外部カッタは、シェービングヘッドフレームに結合され得る取り外し可能なフレームに設けられている点及びロングヘアカッタとして構成されたシェービングユニットの付勢エレメントは、内部カッタの往復運動方向におけるフレームの両端部に取り付けられたガイド部材により、支持されている点を除く訂正明細書の請求項１に係る発明の全構成。
刊行物３：実公昭５６−３５１８８号公報
　シェービングユニットの１つは、浮動的動作が可能なロングヘアカッタとして構成されている点、全ての外部カッタは、シェービングヘッドフレームに結合され得る取り外し可能なフレームに設けられている点及びロングヘアカッタとして構成されたシェービングユニットの付勢エレメントは、内部カッタの往復運動方向におけるフレームの両端部に取り付けられたガイド部材により、支持されている点を除く訂正明細書の請求項１に係る発明の全構成。
刊行物４：特公昭５７−３５０３２号公報
　ドライシェービング装置において、一のシェ−ビングユニットは、ショートヘアカッタとして構成された他の二つのシェービングユニットの間に配置されている点及び一のシェ−ビングユニットは、ロングヘアカッタとして構成されている点。
刊行物５：国際公開ＷＯ９１／２６２９
　（特表平５−５００３１３号公報参照）
　ドライシェービング装置において、シェービングユニットの内部カッタは、少なくとも１つの結合エレメントを介して、ドライブと結合されると共に、ハウジングに連結され得るシェービングヘッドフレームにより囲まれている点及びシェービングユニットは、ハウジング上のシェービングヘッドフレームの軸線を中心として枢動し得るように取り付けられている点。
刊行物６：特開昭６３−１９７４８４号公報
　ドライシェービング装置において、各シェービングユニットは、シェーバ本体の垂直方向軸線にほぼ平行に往復運動し得るように取り付けられている点、２つのシェービングユニットは、互いに逆方向に往復運動し得るように取り付けられている点及び前記シェービングユニットは、平行リンク機構の対向リムに取り付けられている点。
刊行物７：特開平４−２２０２８２号公報
　ドライシェービング装置において、シェービングユニットの外部カッタ及び内部カッタは、シェービングヘッドフレームに取外し可能に取り付けられている点及び全ての外部カッタは、シェービングへッドフレームに結合され得る取外し可能なフレームに設けられている点。
刊行物８：特開平２−１８５２８６号公報
　ドライシェービング装置において、シェービングユニットの外部カッタ及び内部カッタは、シェービングヘッドフレームに取外し可能に取り付けられている点。
刊行物９：米国特許第３，０５６，１９８号
　　　　　明細書
　ドライシェービング装置において、ロングヘアカッタとして構成されたシェービングユニットの内部カッタは、Ｕ字状の弧状外部カッタにより囲まれている点。
（３）対比・判断
　訂正明細書の請求項１に係る発明と刊行物１乃至刊行物９記載の発明乃至技術的事項とを対比すると、各刊行物記載の発明乃至技術的事項は、部分的に訂正明細書の請求項１に係る発明と共通する構成を備えているものの、いずれも訂正明細書の請求項１に係る発明の「ロングヘアカッタとして構成されたシェービングユニットの付勢エレメントは、内部カッタの往復運動方向におけるフレームの両端部に取り付けられたガイド部材により、支持されており」という構成を備えていない。
　また、訂正明細書の請求項２７に係る発明と刊行物１乃至刊行物９記載の発明乃至技術的事項とを対比すると、各刊行物記載の発明乃至技術的事項は、部分的に訂正明細書の請求項２７に係る発明と共通する構成を備えているものの、いずれも訂正明細書の請求項２７に係る発明の「シェービングユニットは、シェーバハウジングに枢動可能に取り付けられたシェーバヘッドを形成するよう互いに対して固定されており、前記シェーバーヘッドは、平行リンク機構の２つの対向リムに取り付けられており」という構成を備えていない。
　さらに、訂正明細書の請求項３０に係る発明と刊行物１乃至刊行物９記載の発明乃至技術的事項とを対比すると、各刊行物記載の発明乃至技術的事項は、部分的に訂正明細書の請求項３０に係る発明と共通する構成を備えているものの、いずれも訂正明細書の請求項３０に係る発明の「ロングへアカッタとして構成されたシェービングユニットは、ピンとスロットアレンジメントを用いて垂直浮動運動を可能にしていること」という構成を備えていない。
　そして、訂正明細書の請求項１、請求項２７及び請求項３０に係る発明は、上記構成を備えることによって訂正明細書記載の効果を奏するものである。
　したがって、訂正明細書の請求項１、請求項２７及び請求項３０に係る発明は、刊行物１乃至刊行物９記載の発明乃至技術的事項に基づいて当業者が容易に発明をすることができたとすることはできない。また訂正明細書の請求項２乃至請求項２６に係る発明は、請求項１に係る発明をさらに限定するものであるから、同じく当業者が容易に発明をすることができたとすることはできない。
　また、他に訂正明細書の請求項１乃至請求項３０に係る発明を拒絶すべき理由を発見しない。
　このように、訂正明細書の請求項１乃至請求項３０に係る発明は、いずれも特許出願の際独立して特許を受けることができるものである。
　５　むすび
　以上のとおりであるから、上記訂正請求は、特許法第１２０条の４第２項及び同条第３項において準用する同法第１２６条第２項から第４項の規定に適合するので当該訂正を認める。
第３　特許異議の申立てについての判断
　１　特許異議申立ての理由の概要
　特許異議申立人・三洋電機株式会社は、証拠として甲第１号証（上記刊行物２）、甲第２号証（特開昭５８−７５５８１号公報）、甲第３号証（実開昭５３−１３４９５号公報）甲第４号証（実開昭５２−１５９７９０号公報、上記刊行物３の公開公報）、甲第５号証（上記刊行物５）、甲第６号証（特開昭５４−１３６９７４号公報）、甲第７号証（上記刊行物８）、甲第８号証（特開昭６１−３８６号公報）、甲第９号証（実開昭４８−２１８８７号公報）及び甲第１０号証（特表平５−５００３１３号公報）を提出して、本件特許の請求項１乃至請求項５，請求項７，請求項８，請求項１０乃至請求項１３，請求項１６乃至請求項１９，請求項２５，請求項２６及び請求項３８に係る発明は、甲第１号証乃至甲第９号証記載の発明と同一もしくはそれらの発明に基づいて当業者が容易に発明をすることができたものであるから、本件上記各請求項に係る特許は、特許法第２９条の規定に違反してされたものであり、取り消されるベきものである旨主張している。
　また、特許異議申立人・松下電工株式会社は、証拠として甲第１号証（上記刊行物２）、甲第２号証（上記刊行物３）、甲第３号証（上記刊行物１）、甲第４号証（特開平５−２９３２５８号公報）、甲第５号証（特公昭４５−１６９９２号公報）、甲第６号証（上記刊行物４）、甲第７号証（特開昭６４−５６０８９号公報）、甲第８号証（上記刊行物６）、甲第９号証（上記刊行物７）及び甲第１０号証（上記刊行物９）を提出して、本件特許の各請求項に係る発明は、甲各号証記載の発明のいずれかと同一もしくはそれらの発明に基づいて当業者が容易に発明をすることができたものであるから、本件各請求項に係る特許は、特許法第２９条及び第２９条の２の規定に違反してされたものであり、取り消されるべきものである旨、また、本件各請求項に係る特許は、特許法第３６条第４項に規定する要件を満たしていない特許出願に対しされたものであるので、取り消されるべきものである旨主張している。
　２　特許異議申立人の主張の検討
　上記第２の５に示すように本件訂正請求が認められたことにより、本件特許の請求項１乃至請求項３０に係る発明は、上記第２の４（１）で示したとりの「ドライシェービング装置」であると認める。
　これに対して、各特許異議申立人の提出した上記各証拠の中、上記第２の４（２）で実質的に示した以外のものには、それぞれ以下の発明乃至技術的事項が記載されていると認める。
特開昭５８−７５５８１号公報：
　ドライシェービング装置において、共通の支持部材に対して、中央に網刃ひげそり部とその両側にくし刃ひげそり部とが設けられており、網刃ひげそり部は径大のばねにより付勢され、くし刃ひげそり部は径小のばねにより付勢されている点。
実開昭５３−１３４９５号公報：
　ドライシェービング装置において、中央に切刃長孔を備えると共にその両側に切刃小孔を備えた外刃と、切刃小孔に対応する刃体及び刃体からばねによって突出した切刃長に対応する刃体とを備えた内刃体とからなる点。
特開昭５４−１３６９７４号公報：
　ドライシェービング装置において、駆動ブッシュに連係された各内刃体が外刃内面を交互に往復摺動してヒゲ剃り動作が行なわれる点。
特開昭６１−３８６号公報：
　ドライシェービング装置において、シェーバケーシングに対してシェーバヘッドフレームが取り外し自在、且つシェーバへッドフレームに対して上刃が取り外し自在となっている点。
実開昭４８−２１８８７号公報：
　ドライシェービング装置において、ロングヘアカッタ・シェービングユニットが取り外し可能に取り付けられている点。
特願平４−１０３３２８号（特開平５−２９３２５８号）の願書に最初に添付した明細書又は図面：
　ロングヘアカッタとして構成されたシェービングユニットの付勢エレメントは、内部カッタの往復運動方向におけるフレームの両端部に取り付けられたガイド部材により、支持されている点を除く訂正明細書の請求項１に係る発明の全構成。
特公昭４５−１６９９２号公報：
　ドライシェービング装置において、ロングヘアカッタとして構成したシェービングユニットを、ショートヘアカッタとして構成した他の二つのシェービングユニットの間に配置する点。
特開昭６４−５６０８９号公報：
　ドライシェービング装置において、シェービングユニットは、ハウジング上のシェービングヘッドフレームの軸線を中心として枢動し得るように取り付けられている点。
　本件特許発明と上記甲各号証記載の発明とを対比すると、甲各号証記載の発明はいずれも「ロングヘアカッタとして構成されたシェービングユニットの付勢エレメントは、内部カッタの往復運動方向におけるフレームの両端部に取り付けられたガイド部材により、支持されており」という構成、「シェービングユニットは、シェーバハウジングに枢動可能に取り付けられたシェーバヘッドを形成するよう互いに対して固定されており、前記シェーバーヘッドは、平行リンク機構の２つの対向リムに取り付けられており」という構成及び「ロングヘアカッタとして構成されたシェービングユニットは、ピンとスロットアレンジメントを用いて垂直浮動運動を可能にしていること」という構成を備えていない。
　したがって、上記第２の４の（３）で示したと同じ理由によって、本件特許の請求項１乃至請求項３０に係る発明は、上記甲各号証記載の発明と同一であるとすることができないだけでなく、それらに基づいて当業者が容易に発明をすることができたとすることもできない。
　また、明細書が訂正されたことにより、明細書中には、格別記載が不備であるとする箇所も見当たらない。
　３　むすび
　以上のとおりであるから、各特許異議申立人の主張する特許異議申立ての理由及び提出した証拠によっては、本件の各請求項に係る特許を取り消すことはできない。
　また、他に本件の各請求項に係る特許を取り消すべき理由を発見しない。
　よって、結論のとおり決定する。
【異議決定日】
平成１１年７月１５日（１９９９．７．１５）
【訂正の要旨】
訂正の要旨
　特許第２５４７３１０号の明細書を、本件に係る訂正請求書に添付された明細書のとおり、すなわち、次の訂正事項ａ乃至訂正事項ｐのとおりに訂正する。
（１）訂正事項ａ
　訂正前の特許明細書の請求項７乃至請求項９、請求項１２、請求項１６、請求項２０乃至請求項２７及び請求項３８を削除する。
（２）訂正事項ｂ
　特許請求の範囲の減縮を目的として、請求項１を以下のように訂正する。
　【請求項１】　ハウジング（１）内に配置されるドライブと少なくとも２つの平行シェービングユニット（１３，１４，１５）とを備え、各シェービングユニットは、それぞれ外部カッタ（１６，　１７，２０）、内部カッタ（２１，２２，３４）および少なくとも１つの付勢エレメント（３１，３２，３３，４５）を有し、
　前記シェービングユ　ニット（１３，１４，１５）の１つは、浮動的動作が可能なロングヘアカッタとして構成され、
　全ての外部カッタ（１６，１７，２０）は、シェービングヘッドフレーム（１８）に結合され得る取り外し可能なフレーム（１９）に設けられ、
　前記シェービングユニット（１３，１４，１５）の付勢エレメントは異なる特性を有し、ロングヘアカッタとして構成されたシェービングユニット（１５）の付勢エレメント（４５）は、内部カッタ（３４）の往復運動方向におけるフレーム（１９）の両端部に取り付けられたガイド部材により、支持されており、
　前記ロングヘアカッタとして構成されたシェービングユニット（１５）の力−変位特性が他のシェービングユニット（１３，１４）と異なり、この特性は、シェービング中、シェービングュニット（１３，１４，１５）に外力が作用しているとき前記他のシェービングユニット（１３，１４）に対し前記ロングヘアカッタとして構成されたシェービングユニット（１５）が移動可能であることを特徴とするドライシェービング装置。
（３）訂正事項ｃ
　特許請求の範囲の減縮を目的として、請求項２を以下のように訂正する。
　【請求項２】　各シェービングユニット（１３，１４，１５）は、外部カッタ（１６，７，２０）に内部カッタ（２１，２２，３４）を押圧するための少なくとも１つの付勢エレメント（３１，３２，４５）を有しており、他の付勢エレメント（３３）が、相対運動を許容し得るように前記ロングヘアカッタとして構成されたシェービングユニットに設けられている、請求項１記載の装置。
（４）訂正事項ｄ
　特許請求の範囲の減縮を目的として、請求項３を以下のように訂正する。
　【請求項３】　前記ロングヘアカッタとして構成されたシェービングュニット（１５）は、ショートヘアカッタとして構成された他の二つのシェービングユット（１３，１４）の間に配置されている請求項１又は２記載の装置。
（５）訂正事項ｅ
　特許請求の範囲の減縮を目的として、請求項４を以下のように訂正する。
　【請求項４】　前記ロングヘアカッタとして構成されたシェービングュニット（１５）の外部カッタ（２０）は、内部カッタ（３４）が振動する長手方向に対し横向きにスロットが形成されていることを特徴とする請求項１乃至３のいずれか１頃に記載の装置。
（６）訂正事項ｆ
　誤記の訂正を目的として、特許時の請求項１３（訂正後の請求項９）の「ショートヘアカッティング装置（１６，１７）の外部カッタと、」を「ショートヘアカッティング装置の外部カッタ（１６，１７）と、」、特許明細書第１０欄第９，１０行の「取外し可能なフレーム２９」を「取外し可能なフレーム１９」と訂正する。
（７）訂正事項ｇ
　明りようでない記載の釈明を目的として、特許時の請求項１５（訂正後の請求項１１）において、第２行の「２つの端部」を「両端部」、第４行の「案内」を「装置」と訂正し、特許請求の範囲の減縮を目的として、択一的記載（シェービングヘッドフレーム（６０）又は取外し可能なフレーム（１９）」）を「フレーム（１９）」に改める。
（８）訂正事項ｈ
　特許請求の範囲の減縮を目的として、特許時の請求項１７（訂正後の請求項１２）において、特許請求の範囲の記載と発明の詳細な説明の記載との整合を図るため、第２行および第３行の「シェービングヘッドフレーム（１８）又は取外し可能なフレーム（１９）」を「シェービングヘッドフレーム（１８）」、第４，５行の「シェービングユニット（１５）の外部カッタ（２０）又は内部カッタ（３４）」を「シェービングユニット（１５）」と訂正する。
（９）訂正事項ｉ
　明りようでない記載の釈明を目的として、特許時の請求項１９（訂正後の請求項１４）において、第３行の「関連するシェービング内」を「関連するシェービングユニット内」と訂正する。
（１０）訂正事項ｊ
　訂正後の請求項２５（＝訂正後の請求項１＋ピンとスロットアレンジメント）
　特許請求の範囲の減縮を目的として、以下のように訂正する。
　【請求項２５】　前記ロングヘアカッタとして構成されたシェービングユニット（１５）は、ピンとスロットアレンジメント（１２０）を用いて垂直浮動運動を可能にしていることを特徴とする、請求項１に記載の装置。
（１１）訂正事項ｋ
　訂正後の請求項２６（＝訂正後の請求項１＋フラットスプリング）
　特許請求の範囲の減縮を目的として、以下のように訂正する。
　【請求項２６】前記ロングヘアカッタとして構成されたシェービングユニット（１５）は、フラットスプリング（３４１）を用いて、シェービング間の浮動動作を許容するように調整されることを特徴とする、請求項１に記載の装置。
（１２）訂正事項ｌ
　誤記の訂正を目的として、特許明細書の第１０欄第９行及び第１０行の「フレーム２９」を「フレーム１９」に訂正する。
（１３）訂正事項ｍ
　訂正後の請求項２７（＝特許時の請求項１＋４＋２９）
　特許請求の範囲の減縮を目的として、以下のように訂正する。
　【請求項２７】　ハウジング（１）内に配置されるドライブと少なくとも２つの平行シェービングユニット（１３，１４，１５）とを備え、各シェービングユニットは、それぞれ外部カッタ（１６，１７，２０）、内部カッタ（２１，２２，３４）および少なくとも１つの付勢エレメント（３１，３２，３３，４５）を有し、
　前記シェービングユニット（１３，１４，１５）の１つは、浮動的動作が可能なロングヘアカッタとして構成され、
　前記シェービングユニット（１３，１４，１５）の付勢エレメントは異なる特性を有し、
　前記ロングヘアカッタとして構成されたシェービングユニット（１５）のカ−変位特性が他のシェービングユニット（１３，１４）と異なり、この特性は、シェービング中、シェービングユニット（１３，１４，１５）に外力が作用しているとき前記他のシェービングユニット（１３，１４）に対し前記ロングヘアカッタとして構成されたシェービングユニット（１５）が移動可能であり、
　各内部カッタおよび付随する各付勢エレメントは、当該シェービングユニットの一部として取り外し自在に、関連するシェービングユニット内に取り付けられており、
　前記シェービングユニットは、シェーバハウジングに枢動可能に取り付けられたシェーバヘッドを形成するよう互いに対して固定されており、
　前記シェーバーヘッドは、平行リンク機構の２つの対向リムに取り付けられている、ドライシェービング装置。
（１４）訂正事項ｎ
　訂正後の請求項２８（＝特許時の請求項１＋４＋３０）
　特許請求の範囲の減縮を目的として、　　　　以下のように訂正する。
　【請求項２８】　前記リンク機構は、シェーバハウジングに枢動可能に取り付けられた２つの横方向のリンクメンバ（ｔｒａｎｓｖｅｒｓｅ　ｌｉｎｋ　ｍｅｍｂｅｒ）を備えている、請求項２７記載の装置。
（１５）訂正事項ｏ
　訂正後の請求項２９（＝特許時の請求項１＋４＋３１）
　特許請求の範囲の減縮を目的として、以下のように訂正する。
　【請求項２９】　前記横向きのリンクメンバはベルクランクレバーを形成する、請求項２８記載の装置。
（１６）訂正事項ｐ
　訂正後の請求項３０（＝特許時の請求項１＋４＋１５）
　特許請求の範囲の減縮を目的として、以下のように訂正する。
　【請求項３０】　ハウジング（１）内に配置されるドライブと少なくとも２つの平行シェービングユニット（１３，１４，１５）とを備え、各シェービングユニットは、それぞれ外部カッタ（１６，１７，２０）、内部カッタ（２１，２２，３４）および少なくとも１つの付勢エレメント（３１，３２，３３，４５）を有し、
　前記シェービングユニット（１３，１４，１５）の１つは、浮動的動作が可能なロングヘアカッタとして構成され、
　前記シェービングユニット（１３，１４，１５）の付勢エレメントは異なる特性を有し、
　前記ロングヘアカッタとして構成されたシェービングユニット（１５）の力−変位特性が他のシェービングユニット（１３，１４）と異なり、この特性は、シェービング中、シェービングユニット（１３，１４，１５）に外力が作用しているとき前記他のシェービングユニット（１３，１４）に対し前記ロングヘアカッタとして構成されたシェービングユニット（１５）が移動可能であり、
　前記ロングヘアカッタとして構成されたシェービングユニット（１５）は、ピンとスロットアレンジメント（１２０）を用いて垂直浮動運動を可能にしていることを特徴とする、ドライシェービング装置。
（５４）【発明の名称】
ドライシェービング装置
（５７）【特許請求の範囲】
　【請求項１】　ハウジング（１）内に配置されるドライブと少なくとも２つの平行シェービングユニット（１３，１４，１５）とを備え、各シェービングユニットは、それぞれ外部カッタ（１６，１７，２０）、内部カッタ（２１，２２，３４）および少なくとも１つの付勢エレメント（３１，３２，３３，４５）を有し、
　
前記シェービングユニット（１３，１４，１５）の１つは浮動的動作が可能なロングヘアカッタとして構成され、
　
全ての外部カッタ（１６，１７，２０）は、シェービングヘッドフレーム（１８）に結合され得る取り外し可能なフレーム（１９）に設けられ、
　前記シェービングユニット（１３，１４，１５）の付勢エレメントは異なる特性を有し、
ロングヘアカッタとして構成されたシェービングユニット（１５）の付勢エレメント（４５）は、内部カッタ（３４）の往復運動方向におけるフレーム（１９）の両端部に取り付けられたガイド部材により、支持されており、
　
前記ロングヘアカッタとして構成された
ロングヘアカッタとして構成された
　【請求項２】　各シェービングユニット（１３，１４，１５）は、外部カッタ（１６，７，２０）に内部カッタ（２１，２２，３４）を押圧するための少なくとも１つの付勢エレメント（３１，３２，４５）を有しており、他の付勢エレメント（３３）が、相対運動を許容し得るように前記
ロングヘアカッタとして構成された
　【請求項３】　前記
ロングヘアカッタとして構成された
　【請求項４】　
前記ロングヘアカッタとして構成されたシェービングユニット（１５）の外部カッタ（２０）は、内部カッタ（３４）が振動する長手方向に対し横向きにスロットが形成されていることを特徴とする請求項１乃至３のいずれか１項に記載の装置。
　【請求項５】　シェービングユニット（１３，１４，１５）の内部カッタ（２１，２２，３４）は、少なくとも１つの結合エレメント（２３）を介して、ドライブ（６）と結合されると共に、ハウジング（１）に連結され得るシェービングヘッドフレーム（６０）により囲まれている、請求項１〜４のいずれか１項に記載の装置。
　【請求項６】　シェービングユニット（１３，１４，１５）は、ハウジング（１）上のシェービングヘッドフレーム（１８）の軸線（Ｘ一Ｘ）を中心として枢動し得るように取り付けられている、請求項１〜５のいずれか１項に記載の装置。
　【請求項７】　シェービングユニット（１３，１４，１５）の外部カッタ（１６，１７，２０）は、シェービングヘッドフレーム（１８）に取外し可能に取り付けられている、請求項１〜６のいずれか１項に記載の装置。
　【請求項８】　ショートヘアカッティング装置の外部カッタ（１６，１７）、並びに、ロングヘアカッタ・シェービングユニット（１５）の外部カッタ（２０）及び内部カッタ（３４）は、シェービングヘッドフレーム（１８）に取外し可能に取り付けられている、請求項１〜７のいずれか１項に記載の装置。
　【請求項
９
（１６，１７）
８
　【請求項
１０
９
　【請求項
１１
両
１０
　【請求項
１２
１１
　【請求項
１３
１２
　【請求項
１４
ユニット
１３
　【請求項
１５
１４
　【請求項
１６
　【請求項
１７
１６
　【請求項
１８
１７
　【請求項
１９
１４〜１８
　【請求項
２０
ｉ）　カッタの長手方向に延び、かつ、各ブリッジエレメントの第１端部を全て結合する第１のサポートビームと、
ｉｉ）カッタの長手方向に延び、かつ、各ブリッジエレメントの第２端部を全て結合する第２のサポートビームと、
ｉｉｉ）往復ドライブを受けるための、少なくとも一のサポートビームに配置されるレシービング手段と、
を備えている、請求項
１９
　【請求項
２１
２０
　【請求項
２２
２０
　【請求項
２３
２０
２１
　【請求項
２４
２３
　【請求項
２５
前記ロングヘアカッタとして構成されたシェービングユニット（１５）は、ピンとスロットアレンジメント（１２０）を用いて垂直浮動運動を可能にしていることを特徴とする、請求項１に記載の装置。
　【請求項
２６
前記ロングヘアカッタとして構成されたシェービングユニット（１５）は、フラットスプリング（３４１）を用いて、シェービング間の浮動動作を許容するように調整されることを特徴とする、請求項１に記載の装置。
　【請求項２７】　ハウジング（１）内に配置されるドライブと少なくとも２つの平行シェービングユニット（１３，１４，１５）とを備え、各シェービングユニットは、それぞれ外部カッタ（１６，１７，２０）、内部カッタ（２１，２２，３４）および少なくとも１つの付勢エレメント（３１，３２，３３，４５）を有し、
　
前記シェービングユニット（１３，１４，１５）の１つは、浮動的動作が可能なロングヘアカッタとして構成され、
　前記シェービングユニット（１３，１４，１５）の付勢エレメントは異なる特性を有し、
　
前記ロングヘアカッタとして構成された
前記ロングヘアカッタとして構成された
　各内部カッタおよび付随する各付勢エレメントは、当該シェービングユニットの一部として取り外し自在に、関連するシェービング
ユニット
　前記シェービングユニットは、シェーバハウジングに枢動可能に取り付けられたシェーバヘッドを形成するよう互いに対して固定されており、
　前記シェーバーヘッドは、平行リンク機構の２つの対向リムに取り付けられている、ドライシェービング装置。
　【請求項２８】　前記リンク機構は、シェーバハウジングに枢動可能に取り付けられた２つの横方向のリンクメンバ（ｔｒａｎｓｖｅｒｓｅ　ｌｉｎｋ　ｍｅｍｂｅｒ）を備えている、請求項２７記載の装置。
　【請求項２９】　前記横向きのリンクメンバはベルクランクレバーを形成する、請求項２８記載の装置。
　【請求項３０】　ハウジング（１）内に配置されるドライブと少なくとも２つの平行シェービングユニット（１３，１４，１５）とを備え、各シェービングユニットは、それぞれ外部カッタ（１６，１７，２０）、内部カッタ（２１，２２，３４）および少なくとも１つの付勢エレメント（３１，３２，３３，４５）を有し、
　
前記シェービングユニット（１３，１４，１５）の１つは、浮動的動作が可能なロングヘアカッタとして構成され、
　前記シェービングユニット（１３，１４，１５）の付勢エレメントは異なる特性を有し、
　
前記ロングヘアカッタとして構成された
前記ロングヘアカッタとして構成された
　
前記ロングヘアカッタとして構成されたシェービングユニット（１５）は、ピンとスロットアレンジメント（１２０）を用いて垂直浮動運動を可能にしていることを特徴とする、ドライシェービング装置。
【発明の詳細な説明】
　本発明は、ハウジング内に配置されるドライブユニットと、外部カッタと内部カッタを有する少なくとも２つの平行シェービングユニットと、少なくとも１つの付勢エレメントを備えるドライシェービング装置に関する。
　このようなドライシェービング装置の一例として、ＤＥ−Ｃ−３　９２６　８９４が知られている。一実施例中では、各外部カッタは、ハウジングに配置されるシェービングヘッドフレームに取り付けられている。内部カッタは、電気ドライブユニットのドライブエレメントに接続される共通結合エレメントに設置されている。各内部カッタはそれぞれスプリングエレメント手段により、対応する外部カッタに対して押圧されている。２つのスプリングエレメントは、それぞれ外部カッタと内部カッタとの係合を確実なものにするために、適切な特性を有している。他の実施例によれば、外部カッタは、シェービングヘッドフレームに結合する取外し可能なフレームに設置されており、ドライシェービング装置のハウジングに回転可能に設置されている。
　ＵＳ−Ａ−３　５８９　００５の４つの平行シェービングユニットを有するドライシェービング装置が知られている。ショートヘアカッタ用として構成された２つの外部シェービングユニットはそれぞれ、外部カッタと、内部カッタと、ドライブエレメントと内部カッタの間に配置されたスプリングエレメントとを備えている。２つの外部シェービングユニットの間には、歯状カッティング櫛と、対応する歯状カッティング刃を有し、特にトリミング用の２つの櫛状のロングヘアカッタが設けられている。トリミングの目的で、これらの歯状ロングヘアトリマは、ショートヘアカッタに関連して、両方一緒にまた互いに独立に調整用に設置されている。
　他のドライシェーバとして、ＵＳ−Ａ−４　７９７　９９７とＧＢ−Ａ−２０３６　６３１のものが知られている。
　本発明は、シェービングユニットとシェーブされる肌との係合が簡単な方法で改善される、最初に定義したタイプのドライシェービング装置を提供することを目的とする。更に、本発明の実施例では、シェービングの組み合わせ、すなわちロングヘアとショートヘアの同時カッティングを行うことができる。
　本発明の一つの態様によれば、最初に定義したタイプの装置では、一つのシェービングユニットの付勢エレメントは、他のシェービングユニットの付勢エレメントとは異なる特徴を有しており、外側から与えられる力の影響で、他のシェービングユニットと関連する一つのシェービングユニットにより、シェービングユニットが動くように形成されている。
　本発明の他の態様によれば、対応するシェービングユニットのエレメントとして、各カッタと、関連する付勢エレメントが、取外し可能なシェービングユニット内に設置されている、最初に定義したタイプの装置が提供されている。
　また、本発明の他の態様によれば、シェーバ本体と、各々がシェーバ本体に関連する動作用に設置され、底が開いたアーチ形のシェービングフォイルを有する、内部結合した少なくとも２つのシェービングユニットを備える取外し可能なシェーバヘッドと、付勢力が内部カッタをフォイルと接するように押し続け、フォイルのシェービング動作を達成するときのフォイル軸に沿った往復運動動作用に設置された各フォイルのアーチ形内の内部カッタと、各カッタ用の付勢力を供給する付勢エレメントと、往復動作の方向に対して横切る各カッタの動きに対応しながら、往復動作を供給するドライブ手段とを備えるドライシェービング装置が提供されており、各カッタと、対応する付勢エレメントが、シェーバヘッドの部品として取外し可能なシェービングユニット内に設置されている。
　一実施例では、各付勢エレメントは、対応するカッタと、対応するシェービングユニットのサポート間に作用する。
　ドライブ手段は、ドライブされるカッタのスロット内に位置するピンを備えており、スロットがカッタの横方向に延びており、ドライブピンとカッタの相対的な横方向動作を可能にする。そのため、ドライブピンは、フォイルの横方向動作に従う必要はないが、カッタはフォイルの横方向動作に従うことができる。例えばＴ状棒ヘッドの二又ヘッドと、一対のへッドシェーバのカッタの横方向スロット内のピンの縁付きピンは、非常に可能性がある。これらのピンやＴ状棒は、非常に小さいスペースを占めており、異物透過性（ｄｅｂｒｉｓ　ｔｒａｎｓｐａｒｅｎｃｙ）により近づくために良好な可能性を提供する。
　本発明のよりよい理解と、どのように実施し、作用するかを明白にするために、添付図面を一例として参照する。
　図１は、本発明の第１実施例に係るドライシェービング装置の一部を分解し、一部を取外した斜視図である。
　図２は、Ｘ−Ｘの線に対して垂直な平面上に図１の装置のシェービングヘッドを取りだした断面図である。
　図３は、Ｘ−Ｘの線を含む平面における図１の装置のシェービングヘッド縦方向の断面図である。
　図４は、本発明に係るシェービング装置の第２の実施例の図２に対応する断面図である。
　図５は、本発明の他の実施例に係るドライシェーバの端部概要図である。
　図６は、図５と同一の図であるが、シェービングユニットが静止位置から、一方が静止位置より上方へ、他方が下方へ変位している。
　図７は、中央部に示す内部カッタと共に、図５の１つのシェービングフォイルの縦方向軸を含む縦断面図である。
　図８は、図７に対応する縦断面図であるが、内部カッタが移動している。
　図９ａは、スプリング付勢システムの内部をより詳細に示す図５に対応する横方向の断面図である。
　図９ｂは、シェービングヘッドのドライブメカニズムの内部をより詳細に示す図５に対応する横方向の断面図である。
　図１０は、本発明に係るシェービング装置の他の実施例の分解図である。
　図１１は、図１０の装置の横方向の分解断面図である。
　図１２は、図１０と図１１の３つのヘッド付きシェービング装置（ｔｒｉｐｌｅ　ｈｅａｄｅｄ　ｄｒｙ　ｓｈａｖｅｒ　ａｐｐａｒａｔｕｓ）の横方向の断面図である。
　図１３は、図１２に対応する横方向の断面図であるが、ロングヘアカッタの構造は変形例である。
　図１４は、図１０の実施例のロングヘアカッタの縦方向の断面図である。
　図１５は、図１０の実施例の１つのショートヘアカッタの縦方向の断面図である。
　図１６は、本発明の他の実施例に係る３つのヘッド付きドライシェーバ装置の分解斜視図である。
　図１７は、図１６の３つのヘッド付きドライシェーバ装置の横方向の分解断面図である。
　図１８は、図１６の３つのヘッド付きドライシェーバ装置の横方向の断面図であり、またロングヘアカッタの拡大図を示している。
　図１９は、ロングヘアカッタ構造の変形例の拡大図を示す図１８に対応する横方向の断面図である。
　図２０は、図１６のショートヘアカッタ構造の縦方向の断面図である。
　図２１は、図１８の装置のロングヘアカッタ構造の縦方向の断面図である。
　図２２は、図１９の装置のロングヘアカッタの他の実施例の縦方向断面図である。
　図２３は、本発明の他の実施例の横方向部分である。
　図２４は、図１、図１０または図１６の実施例に係る、中央部にロック可能なヘッドを有する、組立てられた状態のドライシェーバ装置の上部分の斜視図である。
　図２５は、図２４に対応する斜視図であるが、ロック可能なヘッドが斜めに位置している。
　図２６は、独立な図２６（ａ）、２６（ｂ）、２６（ｃ）を備えており、図２３の実施例で用いられるピボットメカニズムの概要図である。
　図２７は、第１の位置の内部ピボットメカニズムを示すために、１つの端部プレーとが外された図２４と図２５の構造の側面図である。
　図２８は、第２の位置の内部ピボットメカニズムを示すために、１つの端部プレーとが外された図２４と図２５の構造の側面図である。
　図２９は、第３の位置の内部ピボットメカニズムを示すために、１つの端部プレーとが外された図２４と図２５の構造の側面図である。
　図３０は、図２７から図２９の装置の前面図である。
　図３１は、図１から図３０の実施例での使用に適するアンダーカッタの一例の斜視図である。
　図１は、ハウジング１と、オンオフスイッチ２と、カッティング刃を有する髭トリマ３と、上部ハウジング表面４と、上部ハウジング表面４から突出するドライブピン６と、狭いハウジング側面７、８から延びるサポートアーム９、１０と、ベアリングホール１２に受入可能なベアリングピン１１の手段によりＸ−Ｘ軸についてロックするために設置されたシェービングヘッドＲＫとを備えるドライシェーバの上部分を示す。
　シェーバヘッドＲＫには、３つの平行なシェービングユニット１３、１４、１５が相互に設けられていて、２つの外部シェービングユニット１３、１４は、ショートヘアカッタとして構成され、中間シェービングユニット１５は、ロングヘアカッタとして構成されている。ショートヘアカッタユニット１３、１４の外部カッタ１６、１７は、シェービングヘッドフレーム１８から取外し可能なフレーム１９に配置されている。シェービングユニット１５の外部カッタ２０は、取外し可能なフレーム１９の外部カッタ１６、１７の適切な動作用に設置されている。
　シェービングヘッドＲＫをより詳細に図２と図３に示し、以下により詳細に述べる。図２は、ハウジング１の上部とロック可能なシェービングヘッドＲＫの断面図を示している。ショートヘアシェービングユニット１３、１４の２つの内部カッタ２１、２２は、フレーム１９にアーチ状に設置された外部カッタ１６、１７にそれぞれ接しており、外部カッタ１６、１７は、シェービングフォイルとして構成されるのが好ましい。結合エレメント２３は、３つの一体的に形成されたカップ状のレセプタクル２５、２６、２７付きベースプレート２４と、それと共働するカップ状のカバー２８、２９、２０と、対応するレセプタクル２５、２６、２７内に設けられた対応するガイドピン４２、４３、４４とを有し、対応するピンを囲む圧縮スプリング３１、３２、３３を含んでいる。対応するスプリング３１、３２、３３の圧力に対して、対応するカバー２８、２９、３０に結合する内部カッタ２１、２２、３４の垂直案内を確実なものとするために、滑り穴３５、３６、３７が、それぞれピン４２、４３、４４を受入れるカバーに形成されている。内部カッタ２１、２２は、結合エレメント３８、３９によりレセプタクルカバー２８、２９の上端に回転可能に設置されている。
　結合エレメント２３は、ドライブエレメント４０と共にガイドピン４４の手段により結合されていて、振動ブリッジ（ｏｓｃｉｌｌａｔｉｎｇ　ｂｒｉｄｇｅ）を有している（図３参照）。ハウジングに対向して、ドライブエレメント４０は、ドライブピン６と係合し、振動運動とヘッドＲＫのロック運動に対応するスロット４１を有している。
　ロングヘアカッタとして構成され、外部カッタ２０と、内部カッタ３４と、スプリング４５と、結合エレメント４６を有するシェービングユニット１５は、レセプタクルカバー３０に動作可能に結合して、結合エレメント２３に結合する。シェービングユニット１５の構造と配置をより詳細に図３に示し、前に用いた参照番号にて、以下により詳細に述べる。
　外部カッタ２０の両端部において、カッタには、ガイドエレメント４７、４８、が設けられていて、取外し可能なフレーム
１
　他の実施例（図示しない）によれば、シェービングユニット１５の動作を可能にするために設けられるスプリング３３が配置され、シェービングヘッドフレーム１８の壁とガイドエレメント４７、４８の間のシェービングヘッド１５の両端に係合される。
　図４は、ショートヘアカッタシェービングユニット１３、１４に関連する移動可能なロングヘアカッタ１５を有するドライシェーバの他の実施例を示している。ハウジング１上に、ハウジング１に取外し可能に接続されたシェービングヘッドフレーム６０が設置されている。振動動作を伝導するドライブピン６は、直接結合エレメント２３にガイドピン４４を介して結合されている。内部カッタ２１、２２と、結合エレメント２３のロングヘアカッタとして構成されたシェービングユニット１５との配置と構成は、図２と図３の実施例に対応している。
　シェービングユニット１３、１４の外部カッタ１６、１７は、シェービングヘッドフレーム６０上に配置されている。ショートヘアカッタシェービングユニット１５は、図３に示される実施例の構成に対応しており、スプリングアセンブリ３０に結合エレメント４６を介して結合されている。図３の実施例から離れて、シェービングユニット１５は、両端部でシェービングヘッドフレーム６０の内壁４９に形成されたガイド溝（図示しない）内のガイドエレメント４７、４８の手段により移動可能に設置されている。
　図５に示すように、シェーバヘッドＲＫは第１のシェービングユニット１３と第２のシェービングユニット１４とを備える。夫々のユニットは、デペンデングリンクによって夫々の端部で指示されており、、（フレームの一部）およびこれらの４つのリンクは上部の横型ロッカーリンク７３と下部の横型ロッカリンク７４と接触される。図５では、上部リンク１３１と下部リンク１４１は、ヘッドＲＫの一端で可視的に示されている。夫々のロッカリンクは、夫々に応じたリビングヒンジ１５０、１５１の対あるいはリビングヒンジ１５２、１５３の対によって夫々シェービングユニット１３およびシェービングユニット１４に接続される。シェーバのハウジングボディは、ピボットメンバ７７、７８を備え、それらにはロッカーリンク１３１、１４１がピボット式に旋回するように搭載される。この構成では、シェービングユニットが外部から加えられた力に応じて上下に可動となる。
　図６では、ロッカリンク１３１、１４１の回転が、シェービングユニット１３、１４の上昇および下降と同時にシェービングユニット１３、１４の横方向への変位を引き起こすことを示している。こうした動作は、２つのシェーバユニットの一方（図６では、右側のユニット１４）に関して、ロッカリンク１３１、１４１とのピボット取り付け点が回転して、一方の取り付け点が他方の取り付け点よりもよりロッカリンク１３１、１４１の双方の回転軸を含む平面Ｐから離れることによるのは勿論である。他方のシェービングユニット１３に関しても、勿論、ロッカリンク１３１、１４１の同一の回転がロッカリンク１３１、１４１の回転軸を通る平面Ｐにシェーバヘッドを近付ける。
　図５および図６に示す夫々のシェービングユニットは、内部カッタ、外部カッタ（好適にはフォイル）、および少なくとも１つのスプリングエレメントを備える。図７、８、９ａ、および９ｂは、内部カッタ２１、２２が如何に搭載され、駆動されるかを示す。内部カッタ２１は、弓なりに湾曲したシェービングフォイル１６の内面に圧接される。フォイル１６は、フォイル１６の対向する両端面において第１の端面板２１０および第２の端面板２２０を含む構造エレメントと事実上接触している。そして、シェーバヘッドは、４つのロッカリンク１３１、１４１のピボット動作を指示するとともにシェーバ本体へのシェーバヘッドの接触を助ける共通収納器または外殻を備えている。
　カッタ２１は、第１および第２のスプリング付勢エレメント２３０、２４０によって周辺フォイルと接触させられる。夫々のスプリング付勢エレメントは、中空の上空きカップ２５０と僅かにカップ２５０よりも大きな下空き型のキャップ２６０を有し、キャップ２６０はカップ２５０上を、ピン２７１によって導かれて入れ子式に上下動する。エレメント２３０の中空内部の螺旋スプリング２７０は、基底２５０と蓋２６０とを分離しようとする。基底２５０の縁と蓋２６０の縁との夫々の縁の周りのデテント２８０は基底２３０と蓋２６０との分離を阻止し、一方、キャップ２６０の上部のアイ（ｅｙｅ）２９０はピン３００を受け止め、このピン３００によって付勢エレメント２３０がその上端でカッタ２１と接続される。図９ａに最もよく示されるように、付勢エレメント２３０、２４０の夫々の下端３１０には、２つの横方向に突出した筒耳ピン３１１、３２２が用意され、夫々の筒耳ピンに応じて隣接したフレームから突出した支持表面上に載置される。
　カッタ２１は、多数の平行な金属刃４００を有する。これらの刃の全ては、カッタの背後部４１０から外側に延びている。スロット４２０は、１対のリベット４４０によって背後部４１０に固定されたドライブ−レシービングエレメント４３０内で横方向にカッタ２１の長さだけ延びている。シェーバボディ（図示せず）の先端部から上方に延びるドライブピン６は上端４６０を有し、上端４６０はスロット４２０内で受け止められ、カッタ２１に周期的な運動を付与する。
　カッタ２１は、周期的な運動を行うので、２つの付勢デバイス２３０、２４０のそれぞれはピボットピンとサポート面９０、９１にロックされ、スプリング２７０はキャップ２６０とカッター２１を上方に押圧しながら。しかし、カッターが付勢デバイス２３０、２４０が最大角度で縦に最も傾いて縦運動の最も遠い点にあるとき（図８に示す）、デテント面（移動止め面）２８０は接触せず、スプリング２７０による付勢力はまだ働いている。
　図５と図６を参照し前述したように、ドライブピン６も外側へ動くことが可能か、不可能かにかかわらず、ピンと横向きのスロットの配置はカッター２１を横方向に動くことを可能にする。実際、ドライブピン６は外側へ動くことが可能なことは必要とされない。更に、図５と図６を参照し前述したように、シェービングユニットの揺動運動の間の係合がはずれることをさけるためにスロット４２０は充分な長さにわたって、ピン６は係合する。
　ドライブピン６の外側へまたは上下への運動のいかなる必要性をもかわすことがドライブトレインの構造を簡素化することに役立つ。
　付勢デバイス２３０、２４０におけるキャップとカップのテレスコピック構造をもつ配置の重要な利点は、キャップとカップが付勢力をもたらすスプリング２７０の回転の妨害から異物を妨げるために効果的である場合に、それらの動作が異物（の混入）によって悪影響を及ぼされにくいことである。
　図７から、おのおののシェーバーユニット１３、１４のベースの開放がいかに作られているか考えることができるだろう。特に図３１を参照して、詳細はこの後に記載されているが、カッター２１自身はそのベース範囲にわたり開放している。
　図９ｂでは、ドライブピン６は２つに分離された上部端４６０を有し、それはシェービングユニット１３のスロット４２０内に係合する第１ドライブペック５００を供拾するためである。第２ドライブペック５２０はシェービングユニット１４の該当するスロット内に係合する。図９ｂにおいては、ユニット１４は上昇運動の上限にあり、その時もちろんユニット１３は下降運動の下限にある。結果として、ペッグ５００はスロット４２０の上端にあり、ペッグ５２０はそのスロットの下端の近くにある。その上、シェービングユニット１３はそのレストポジションにあるときよりも、ロッキングリンク１３１、１４１のピボット軸に近く、シェービングユニット１４はそのレストポジションにあるときよりも遠いので、ドライブペック５００はスロット４２０を越えて通過する。一方、ペッグ５２０はそのスロット内を完全に通り過ぎる事はない。これは、１つのドライブバー４６０がシェーバーの通常の動作において起こるユニット１３、１４の縦と水平の運動の全てをどの様に収納できるかを示すものである。
　図１０はドライシェービング装置の他の実施例の分解図であって、３つのシェービングユニットから構成され、２つのショートヘアカッター１３、１４とその間に配置されるロングヘアカッター１５を示したものである。ロングヘアカッター１５は、シェービングの間に適用される力によるショートヘアカッター１３と１４との相対運動のために取り付けられている。
　この実施例では、ロングヘアカッターの外部カッターが横向きのスロットを持ったシェービングフォイル２０の形状である。下部カッター３４はクシ状の捧の形態を持っており、フォイル２０の下で長手方向に振動する。下部カッター２１と２２はショートヘアカッターのためにあり、図３１に示すように一般的に正確なスロットを有するメンバーの形状を有する。
　すべての３つの下部カッター２１、２２及び２３はサブアセンブリー４０上に取り付けられ、アンダーカッターの駆動エレメントとして働く。即ち、揺動可能なシェービングヘッドのベースから下部カッターへの運動を伝達するために働く。
　サブアセンブリー４０は、上部カバーメンバー３０と、それがリベット止めされるアンダーカッター３４と、組み立てられた際に下部カッター３４がピボットとして回転するカップリングエレメント又は支点３０１と、外部フォイル２０に下部カッターを付勢する圧力スプリング３３とドライブピン４２、４３及び４４をそれぞれ有する３つのカップ状のレセプタクル（ｒｅｃｅｐｔａｃｌｅ）２５，２６及び２７を供袷するベースプレート２４とから成る。カップリングエレメント３０１は、ドライブピン４４に摺動自在に係合され且つスプリング３３によって付勢される。更に、図１１に示される様に、スプリング３１と３２はレセプタクル２５と２６の中にある。カバーメンバー３０は２つの横向きの窓３０２を有し、それはレセプタクル２７上の横向きのラグ（耳金）に遊びを持って係合する。
　ピン４４の下端はサブアセンブリー４０から突起しており、揺動自在なシェービングヘッドＲＫの底面にある穴５に係合し、保持される。この穴５は環状の弾性部材のシールメンバー５ａによって取り囲まれ、ダストとシェービングによる異物の侵入を防ぐ。
　次に図１１を参照する。シェービングヘッドを貫通する横向きの分解図である。外部のカップ状のレセプタクル２５と２６がドライブピン４２と４３を受けるための摺動穴をも提供するそれぞれのカバー２８と９６にどの様に囲まれているかを示すものである。
　図１２は図１１の構成要素が組立てられた状態を示す。この図は中央のロングヘアカッター１５の外部カッターの形状の拡大図をも示すものである。
　図１３は図１２に類似する図であるが、中央のロングヘアカッターのための内部カッターの別な形状を伴っている。この実施例では、この内部カッターはＵ字状の横断面を持ち、図１６、図１７及び図１８を参照する下記に示す下部カッターに類似するものである。
　図１４は図１２における中央のロングヘアカッター１５を貫通する長手方向の縦断面図である。この図はキャップメンバー３０にリベット止めされる下部カッター３４がカップリングメンバー３０１上に位置し、長手方向又は横方向の揺動運動が可能とする方法を特に示したものである。図１４は外部カッター２０がピンとスロットアレンジメント１２０の手段による縦の運動のために取り付けれている。そのピンとスロットアレンジメント１２０の両端はスプリング３３の揺動に対する中央のロングヘアカッターの垂直浮動運動を可能にする。スプリング３３の特性はスプリング３１と３２に対して相対的にセットされ、その結果、ロングヘアカッターの縦の浮動運動がシェーバーが皮膚の表面を滑る間に発生する通常のシェービングによる力の影響の下で使用することができるようにするためである。
　図１５は、図１２のショートヘアカッタ１６の長手方向の垂直断面図である。下部カッタ（ｕｎｄｅｒｃｕｔｔｅｒ）２１は、カバーメンバ２８に枢動可能に取り付けられ、このカバーメンバ２８は、ベースプレート２４の一部を形成するカップメンバ２５と相互に係合されている。ピン４２はメンバ２５の穴内に取り付けられ、カバーメンバ２８のすべり穴内で摺動可能となっており、従って、カバーメンバ２８はスプリング３１の付勢力に抗して移動することができる。このように、スプリング３１は、下部カッタ２１を押して外部フォイル１６とシェービング接触させるように機能する。
　図１６は、本発明によるドライシェービング装置の他の実施例の等寸大分解図であり、ここで中央のロングヘアカッタ１５は二つのショートヘアカッタ１３、１４に関し浮動的な動作の為に取り付けられている。
　この実施例において、個々のアンダーカッタ２１、２２、３４は個別的に夫々のスプリングアセンブリに取り付けられ、別個にそれぞれのドライブピン６ａ、６ｂ、６ｃにより駆動される。ドライブピン６ｂ、６ｃは駆動部材６６の一体型パーツであり、ここに中央のドライブピン６ａが貫通される。
　アンダーカッタアセンブリの全体は一緒に保持され（ｈｅｌｄ）、通常は長方形ワイヤスプリング９０によりアウタカッタフレームの中で保存される（ｒｅｔａｉｎｅｄ）。
　図１６は、ロングヘアトリマー１５に対するアンダーカッタ３４を支持する個々のコンポーネントを示す。これらのコンポーネントはフラットスプリング３４１および２つの傾斜ガイドメンバ３４２、３４３を有し、これらはアンダーカッタ３４にリベットで取り付けられる。フラットスプリング３４１の特性は、シェービング間の浮動的動作を許容するように調整される。
　ショートヘアカッタのアンダーカッタ２１、２２の各々は、それぞれのスプリングアセンブリ４０ａ、４０ｂ上に支持されている。図１７を参照して、スプリングアセンブリ４０ａ、４０ｂの内部構造をより詳細に示す。図１７はまた、いかに個々のコンポーネントが一緒に組立てられ、ワイヤスプリング９０を介して保持されるかを明確に示す。組立てられたポジションは図１８に示されている。
　図１９は図１８と近似しており、中央のロングへアトリマー１５に対するアンダーカッタの他の実施例を示す。この実施例では、アンダーカッタが図１０の実施例に記述され図示されたアンダーカッタの形式に対応する。
　図２０は、図１８のショートヘアカッタの一つの縦断面図である。図２０はスプリングアセンブリ４０ａの構成を明確に特定的に示す。このスプリングアセンブリはカバーメンバ２８ａ、ベースメンバ２５ａ、およびアンダーカッタ２１を附勢してアウタカッタ１６とシェービング接触となる附勢力を与える２つのインターナルスプリング３１ａ、３ｌｂを備える。
　図２１は図１８のロングヘアカッタ１５の縦断面図である。この図はまた、いかにドライブピン６ａが２つのガイドメンバ３４２、３４３の間に係合し、フラットスプリング３４１に対し押すかをも示す。これは、アンダーカッタ３４を押してアウタカッタ２０とのシェービング接触となる必要な附勢力を与える。
　図２２は図１９の実施例のロングヘアカッタ１５の縦断面図である。この実施例においてインナーカッタ３４は、図１０に示されるアンダーカッタの形式と同様に、櫛状バーになっている。再び、ドライブビン６ａはアンダーカッタ３４にリベット付けされた２つのガイドメンバ３４２、３４３の間に係合している。しかし、この場合は附勢力がフラットスプリングばかりかスプリングワイヤ３４１によっても与えられ、これはシェービングの間に必要な浮動的な動作を許容する選択された特性を有する。
　図２３は、シェービングヘッドＲＫが従来のピボット（図示せず）を通じてシェーバー本体５０上で回転する固定された幾何形状を有し、リビングヒンジを使用するシェーバーの実施例を示す。固定された幾何形状という表現は、個々のシェービングユニット１３、１４がヘッドＲＫ内で互いに相対的に固定されていることによって相互結合されていることを意味する。このヘッドは、そのため、全体的に傾く。低い曲面６１ははシェーバー本体のカウンタ表面をクリアするように形成されている。
　ヘッドＲＫ内の第１シェービングユニット１３は、比較的浅いアーチという形式でシェービングフォイルを有し、この円弧の内側にはインナーカッタ２１がある。ヘッドＲＫの表面は、フォイルアーチ１６の長いエッジおよびフォイル１６のアーチの内側上方に（ｕｐ　ｏｎｔｏ）インナーカッタ２１を附勢するスプリング附勢手段（図示せず）の低部を支持する。
　ヘッドＲＫ内の第２シェービングユニット１４は、第１のものと同一であり、フォイル１７およびインナーカッタ２２を有する。第１および第２シェービングユニットの間で、ロングヘアカッティングユニット１５がそれらと平行に置かれる。
　ロングヘアカッティングユニット１５は、またフォイル２０とインナーカッタ３４を有するが、ロングヘアを取る改善されたフォイル２０、インナーカッタ３４によるカッティングのために、小孔の代りにスロットを有する。当該発明の他の実施例のように、ロングヘアカッタ１５は、浮動的動作のため、スプリングに対してショートヘアカッタ１３、１４に関して取り付けられている。
　第１カッタ２１を駆動するため、横ドライブスロット６２はカッタ２１の長さに沿って中間位置に取り付けられたドライブョーク６３の中に備えられており、ドライブペッグ６４は、本体から直立し、スロット６２と係合する。スロット６２のフランクピースは、シェーバー本体７上のヘッドＲＫの回転位置に拘らず、常にドライブペグ６４の側面に位置するように、充分に広くなっている。スロットにおけるドライブペグ６４の極端なポジションは、図２３に表されている。
　第２カッタ２２は、まさに同一の方法で、第２ドライブペグ６５により駆動される。トリマーユニット１５のインナーカッタ３４はは対応した方法で駆動される。
　さて、図２４を参照すると、この図は３つのシェービングユニット１３、１４、１５を有する揺動可能なヘッドＲＫを組込むドライシェービング装置の作業端部の斜視図を示す。さらに、トリマー３は本体１の前面に備えられている。図２４は、その中心位置における揺動ヘッドＲＫを示す。図２５は図２４に対応するが、充分に（ｆｕｌｌｙ）傾いた位置における揺動ヘッドＲＫを示す。
　ヘツドＲＫの揺動動作が達成される、図２４、２５の実施例における２つの傾斜（ｔｉｌｔｉｎｇ）メカニズムの変形例は、最初に図２６に示され、第２に図２７、２８、２９に示される。この傾斜メカニズムは、また図２３の実施例で実施してもよい。
　分図２６（ａ）、２６（ｂ）、２６（ｃ）から成る図２６は、図２３の実施例の変形例としてもよい。両図２３、２６の実施例の観点から、シェーバーヘッドは固定された幾何形状になっており（シェーバー本体に関し移動自在であるが）
、個々のシェービングユニットはシェーバーヘッドに対する位置で固定されている。図２３の実施例の中で、シェーバーヘッドの回動（ｐｉｖｏｔｉｎｇ）または揺動（ｒｏｃｋｉｎｇ）運動は、平行四辺形リンクが用いられている図２６の実施例において、従来のピボット又はリビングヒンジにより達成される。図２６ではシェーバーヘッドＲＫは２対の垂直サイドメンバ７１、７２の上端上に取り付けられている（サイドメンバの一対はシェーバーの各側面に備え付けられてもよい）。当該対の垂直サイドメンバ７１、７２は、シェーバーの各側面にて、横リンクメンバ７３、７４と共に、４本バー取付けリンク（ｆｏｕｒ　ｂａｒ　ｍｏｕｎｔｉｎｇ　ｌｉｎｋａｇｅ）が構成されている。各リンク７３、７４はベルクランクレバーを構成する。
　ベルクランクレバー７３、７４は、各ピボット位置７７、７８にて、シエーバーフレーム（図示せず）の固定位置に回転自在に取付けられている。これらのシェーバーフレームの固定位置は、シェーバーの中央面７５上に配置されている。この構成を通じて、仮想上のピボット中心７６が、シェーバーヘッドＲＫに対し垂直サイドメンバ７１、７２の取付け位置よりかなり上方に形成される。事実、仮想上のピボットは回動する三角形またはベルクランクリンク７３、７４の大きさに従属したスキンレベル上、上方、または下方に配置されてもよい。これは、図２３の実施例に必要な物理的な上方ピボット配置を必要とすることなく、達成してもよい。
　図２６（ａ）は右側の方向に枢動されたリンク機構を示し、図２６（ｂ）は中心位置にあるリンク機構を示し、図２６（ｂ）は左方に枢動されたリンク機構を示すことは理解されよう。
　実質上の枢動中心を自由に配置できるという利点に加えて、シェーバヘッドを取り付けるこの方法は、複数のフォイル、例えば図２３、図２４又は図２５に示されるような３つのフォイル或はそれ以上のフォイルを支持することのできる単一の堅く結合されたフォイルフレームアセンブリを提供する。更に、上部の実質上の枢動中心の使用により、フォイルの側部上でのシェービングに先立ち、シェービング中における個々のフォイルが枢動する傾向は除去され得る。
　ここで、図２７〜図２９を参照すると、垂直方向（ｖｅｒｔｉｃａｌ）のサイドメンバ（側部部材）７１、７２と、ピボットポイント（ｐｉｖｏｔ　ｐｏｉｎｔ）　７７，７８で本体に枢支されたベルクランクレバーの形の２つのロッキングリンク（揺動リンク）７３，７４とを備える他の形態の平行リンク機構（ｐａｒａｌｌｅｌｏｇｒａｍ　ｌｉｎｋａｇｅ）が示されている。図２６で用いられた方法とは反対に、ここでは、アーム７１，７２の上端部はリンクメンバ７９に固定されており、このリンクメンバ７９はロッキングヘッド（揺動ヘッド）ＲＫの側部に固定されている。更に、この機構における全てのピボットポイントは、図５及び図６に示されるものと同様に、リビングヒンジ（ｌｉｖｉｎｇ　ｈｉｎｇｅ）１５０〜１５５により達成されている。図２７及び図２９は、傾動動作（ティルティングアクション）における２つの極限状態にある機構を明示しており、図２８は、中央位置にある機構を示している。
　図３０は図２７〜図２９の装置を正面図で示している。この図には、ピボットポイント７７，７８の形態がより明瞭に示されている。また、この図は、対応のピボットポイント７７ａ，７８ａが、対応の傾動機構（ティルティングメカニズム）と共に、装置の他方の側部に設けられていることも示している。図２８は、図３０の装置の端面図として取り扱うこともできる。
　図３１を参照すると、内部カッタ２１は複数の弧状のブリッジカッタエレメント４００を有しており、これらのエレメント４００は、その外方に凸状の外面上におけるシェーバのカッティングフォイルと共働するための、部分的に円筒形のカッティング面を画成している。実際には、ブリッジエレメントの弧は円弧形であり、従って、カッタは下方からは完全に開放され、高い異物透過性（ｄｅｂｒｉｓｔｒａｎｓｐａｒｅｎｃｙ）を提供するようになっている。
　ブリッジエレメント４００の第１端部８２は全て、第１のサポートビーム４１０により結合され、この第１のサポートビーム４１０はカッタの長さを延ばしている。同様なサポートビーム８４がブリッジエレメント４００の全ての第２端部を結合し、第１のビームと第２のビームがカッタのブリッジの両側から互いに対向するようにしている。
　各ビーム４１０の各々の長さ方向に沿う中間部分、８４には、２つの小さなプラスチックリベット４４０により、プラスチック材料から成るヨーク４３０が取り付けられており、これらのリベット４４０は、ヨーク４３０の穴と、ビーム４１０の他の部分から下方に短い距離で延びるフィン８６とを貫通して延びている。各ヨーク４３０は、ドライブペグ（ｄｒｉｖｅ　ｐｅｇ）の横向きのピンを受け入れるためのスロット４２０を画成するものである。
　平坦な金属片で弧状のカッタの製造を始めるのが好適である。或る適用可能な製造方法において、第１のステップは、焼入性鋼（ｈａｒｄｅｎａｂｌｅ　ｓｔｅｅｌ）の平坦な加工品（ワークピース）を所望の弧状形状にプレス加工し、次いで、横方向にスリッティング（ｓｌｉｔｔｉｎｇ）、研削（ｇｒｉｎｄｉｎｇ）、切削（ｃｕｔｔｉｎｇ）することによ　りカッタエレメントを形成することとなっている。必須の熱処理工程は、スリッティング工程の前又は後、好ましくは前に実行される。
　そして、金属加工品の弧状部材へのプレス加工の後、熱処理工程が実行され、鋼が焼入れないしは硬化される。次いで、横方向のスロットが形成され、その結果として生じたアーティクル（物品）は縦方向輪郭研削（ｌｏｎｇｉｔｕｄｉｎａｌ　ｐｒｏｆｉｌｅｇｒｉｎｄｉｎｇ）を用いて研削されて、所望の最終寸法とされる。